(57)【要約】【課題】遊技者に対して表示を行うための表示面を回転面として有する表示用回転体を備えた遊技機において、その表示用回転体の回転を正規化する。【解決手段】遊技機において、表示用回転体であるホイール３２の回転中、押圧ローラ１０４のみならず駆動ローラ６６も、ホイール３２との各接触面に対して交差する方向に変位可能であるものとする。したがって、この遊技機によれば、それの各部位の位置がそれの半径方向に変動することがあっても、その変動に駆動ローラ６６が追従可能となり、ホイール３２の半径方向誤差が発生しても、それと駆動ローラ６６との間に予定外の隙間が発生せずに済む。その結果、それらホイール３２と駆動ローラ６６との間における運動伝達が正常に維持されて、ホイール３２の回転を常に正規化することが容易となる。【選択図】  図２
2005046467.tif 000002
【特許請求の範囲】
【請求項１】
遊技者が遊技を行うための遊技機であって、
遊技者に対して表示を行うための表示面を回転面として有するとともに、剛体である表示用回転体と、
モータと、
前記表示用回転体との接触により、前記モータの回転を前記表示用回転体に伝達する伝達用回転体と、
前記表示用回転体との接触により、その表示用回転体を前記伝達用回転体に押圧する押圧具と、
前記表示用回転体をほぼ同じ回転軸線まわりに回転するように案内する案内装置と
を含み、かつ、
前記伝達用回転体と前記押圧具とが、共に、前記表示用回転体との各接触面に対して交差する方向に変位可能である遊技機。
【請求項２】
前記伝達用回転体と前記押圧具とが、その伝達用回転体の回転軸線から平行に隔たった少なくとも１つの揺動軸線のまわりに揺動可能である請求項１に記載の遊技機。
【請求項３】
さらに、前記伝達用回転体と前記押圧具とをそれらに共通のフレームによって変位可能に支持する１個の支持ユニットを含む請求項１または２に記載の遊技機。
【請求項４】
前記案内装置が、互いに共同して前記表示用回転体を接触により案内する複数個の案内具を含む請求項１ないし３のいずれかに記載の遊技機。
【請求項５】
前記複数個の案内具が、前記表示用回転体と同軸な円筒面に沿ってその円筒面との接触状態で配置されており、かつ、それら複数個の案内具が、
位置が実質的に固定された固定案内具と、
前記表示用回転体の回転軸線に関して前記固定案内具とは実質的に反対側に位置する押圧用案内具であって、前記表示用回転体を前記固定案内具に押圧するものと
を含む請求項４に記載の遊技機。
【請求項６】
前記表示用回転体の回転軸線が、当該遊技機の前面に対して概して直角な方向に延びており、前記表示面が、前記回転軸線に対して概して直角な平面内で回転させられる請求項１ないし５のいずれかに記載の遊技機。
【請求項７】
前記表示用回転体が、それと同軸に延びる円筒状のフランジを有しており、前記伝達用回転体が、その表示用回転体から偏心した位置において前記フランジに接触させられる請求項６に記載の遊技機。
【請求項８】
前記表示用回転体が、それの中央部に空間を有しており、当該遊技機が、さらに、遊技者が遊技球を用いて遊技を行うための遊技領域を前記表示用回転体の内側に備えている請求項６または７に記載の遊技機。
【請求項９】
さらに、前記表示用回転体の背後において前記遊技球が前記表示用回転体の外側から前記遊技領域内に進入することを可能にする通路を含む請求項６ないし８のいずれかに記載の遊技機。
【請求項１０】
さらに、前記表示用回転体の裏面からの反射光であってその表示用回転体の回転方向位置に応じて変化するものを利用してその表示用回転体の、当該遊技機に対する回転方向位置を検出する位置センサを含む請求項６ないし９のいずれかに記載の遊技機。
【発明の詳細な説明】
【技術分野】
【０００１】
本発明は、遊技者に対して表示を行うための表示面を回転面として有する表示用回転体を備えた形式の遊技機に関するものである。
【背景技術】
【０００２】
パチンコ機、アレンジボール遊技機、スロットマシン等、遊技者が遊技を行うための遊技機が存在し、その一例として、遊技者に対して表示を行うための表示面を回転面として有する表示用回転体を備えた形式の遊技機が既に提案されている（例えば、特許文献１参照。）。
【０００３】
この形式の遊技機は、（ａ）遊技者に対して表示を行うための表示面を回転面として有するとともに、剛体である表示用回転体と、（ｂ）モータと、（ｃ）表示用回転体との接触により、モータの回転を表示用回転体に伝達する伝達用回転体と、（ｄ）表示用回転体との接触により、その表示用回転体を伝達用回転体に押圧する押圧具と、（ｅ）表示用回転体をほぼ同じ回転軸線まわりに回転するように案内する案内装置とを含むように構成される。
【０００４】
特許文献１に記載の遊技機は、遊技者がパチンコ球を用いて遊技領域内において遊技を行うパチンコ機である。このパチンコ機においては、表示用回転体が、それの回転軸線が当該パチンコ機の横方向（水平方向）に延びている。さらに、この表示用回転体は、それの回転軸線と同軸な円筒面を回転面として備えた剛体のドラムとして構成されている。
【０００５】
さらに、この従来のパチンコ機においては、押圧具が、平滑な外周面を有してそれの回転軸線まわりに回転する押圧ローラとして構成されるとともに、ドラムとの接触面に対して交差する方向に変位可能とされている。
【特許文献１】特開平１０−３２８３７２号公報
【発明の開示】
【発明が解決しようとする課題】
【０００６】
この従来のパチンコ機においては、ドラムが、目標形状を忠実に再現するように製造されることが理想的であるが、現実には、製造ばらつき等により、その目標形状に対して半径方向に歪んだり、半径方向における大きさが目標形状とは異なってしまう場合がある。すなわち、現実には、ドラムに半径方向誤差が発生してしまう場合があるのである。
【０００７】
しかし、この従来のパチンコ機においては、伝達用回転体の回転軸線の位置が固定されており、その結果、伝達用回転体が同じ回転軸線まわりに回転するようになっていた。
【０００８】
そのため、この従来のパチンコ機においては、ドラムに半径方向誤差が発生した場合には、その半径方向誤差に伴うドラムの半径方向における位置変動に押圧ローラは追従することができたが、伝達用回転体は追従することができなかった。
【０００９】
その結果、この従来のパチンコ機においては、ドラムの半径方向誤差が原因でそのドラムと伝達用回転体との間に予定外の隙間が生じてしまい、そのため、それらドラムと伝達用回転体との間において正常な運動伝達が阻害されて、ドラムの回転が正規でなくなってしまう可能性があった。
【００１０】
そのため、例えば、ドラムの任意の停止位置に関連付けて遊技機の遊技条件を制御する場合には、その遊技機においてドラムの停止位置を正確に制御することができなくなり、その結果、遊技条件を予定通りに制御することができなくなってしまう可能性があった。
【００１１】
具体的には、例えば、ドラムの回転面上にそれの回転方向に沿って複数種類の図柄を並べて表示するとともに、そのドラムを任意に停止させてそれら複数種類の図柄のうちのいずれかを選択し、その選択された図柄に応じて遊技条件を制御する遊技機においては、図柄の選択を正確に制御することができなくなり、ひいては、遊技条件を予定通りに制御することができなくなってしまう可能性があった。
【００１２】
このような事情を背景として、本発明は、遊技者に対して表示を行うための表示面を回転面として有する表示用回転体を備えた遊技機において、その表示用回転体の回転を正規化することを課題としてなされたものである。
【課題を解決するための手段】
【００１３】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈されるべきではない。すなわち、下記の態様には記載されていないが本明細書には記載されている技術的特徴を本発明の技術的特徴として適宜抽出して採用することは妨げられないと解釈すべきである。
【００１４】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈されるべきである。
【００１５】
（１）  遊技者が遊技を行うための遊技機であって、
遊技者に対して表示を行うための表示面を回転面として有するとともに、剛体である表示用回転体と、
モータと、
前記表示用回転体との接触により、前記モータの回転を前記表示用回転体に伝達する伝達用回転体と、
前記表示用回転体との接触により、その表示用回転体を前記伝達用回転体に押圧する押圧具と、
前記表示用回転体をほぼ同じ回転軸線まわりに回転するように案内する案内装置と
を含み、かつ、
前記伝達用回転体と前記押圧具とが、共に、前記表示用回転体との各接触面に対して交差する方向に変位可能である遊技機。
【００１６】
この遊技機においては、押圧具のみならず伝達用回転体も、表示用回転体との各接触面に対して交差する方向に変位可能であるものとされる。
【００１７】
したがって、この遊技機によれば、表示用回転体の回転中、それの各部位の位置がそれの半径方向に変動することがあっても、その変動に伝達用回転体が追従可能となる。
【００１８】
よって、この遊技機によれば、表示用回転体の半径方向誤差が発生しても、それと伝達用回転体との間に予定外の隙間が発生せずに済む。その結果、それら表示用回転体と伝達用回転体との間における運動伝達が正常に維持されて、表示用回転体の回転を常に正規化することが容易となる。
【００１９】
その結果、この遊技機によれば、例えば、表示用回転体の任意の停止位置に関連付けて遊技機の遊技条件を制御する態様で実施する場合には、その遊技機において表示用回転体の停止位置を正確に制御することが容易となり、ひいては、遊技条件を予定通りに制御することが容易となる。
【００２０】
本項における「表示用回転体」の用途としては、例えば、当該遊技機を装飾するための用途や、当該遊技機を用いた遊技者による遊技の条件を決定したり変更したりするための用途がある。すなわち、装飾的用途や機能的用途があるのである。
【００２１】
本項における「表示用回転体」は、それの回転軸線と同軸な回転面を有するドラム式としたり、その回転軸線に対して交差する面内に回転面を有するホイール式とすることが可能である。
【００２２】
本項において「剛体である表示用回転体」とは、他の物体による支持なしでも自身の形状を保持し得るほどの剛性を有するように構成された表示用回転体を意味する。その剛性の程度は、外力によってまったく変形しないかまたはほとんど変形しない程度を意味する場合や、外力によって変形はするがその変形量が少しである程度を意味する場合がある。したがって、例えば、力が加えられなければ固有の形状を呈する一方、力が加えられれば多少は変形する表示用回転体も、この「剛体である表示用回転体」に該当する。
【００２３】
本項における「押圧具」は、表示用回転体と共に回転する回転体として構成したり、表示用回転体と共に回転しない非回転体として構成することが可能である。
【００２４】
「押圧具」を回転体として構成する場合、「押圧具」を、表面がほぼ平滑であるローラとして構成したり、複数の歯を有するギヤとして構成することが可能である。
【００２５】
これに対し、「押圧具」を非回転体として構成する場合、「押圧具」を、例えば、表示用回転体に弾性的に接触する弾性体（例えば、板ばね）として構成することが可能である。
【００２６】
（２）  前記伝達用回転体と前記押圧具とが、その伝達用回転体の回転軸線から平行に隔たった少なくとも１つの揺動軸線のまわりに揺動可能である（１）項に記載の遊技機。
【００２７】
前記（１）項に係る遊技機においては、伝達用回転体と押圧具とがそれぞれ往復直線運動可能であるものとすることが可能である。すなわち、変位中に直線状の軌跡を描くものとすることが可能なのである。
【００２８】
これに対し、本項に係る遊技機においては、伝達用回転体と押圧具とがそれぞれ揺動運動可能であるものとされている。すなわち、変位中に円弧状の軌跡を描くものとされているのである。
【００２９】
ここに、伝達用回転体と押圧具とにそれぞれ、直線状の軌跡を描かせる場合と、円弧状の軌跡を描かせる場合とを互いに比較すると、それら伝達用回転体と押圧具とをそれぞれ支持する機構の構成が、一般に、前者の場合において後者の場合におけるより複雑になり易い。
【００３０】
したがって、本項に係る遊技機によれば、伝達用回転体と押圧具とがそれぞれ変位中に直線状の軌跡を描くものである場合に比較し、それら伝達用回転体と押圧具とをそれぞれ変位可能に支持する機構の構成を単純化することが容易となる。
【００３１】
本項における「少なくとも１つの揺動軸線」は、例えば、伝達用回転体と押圧具とに共通の１つの揺動軸線としたり、それら伝達用回転体と押圧具とに個別に設けられた２つの揺動軸線とすることが可能である。
【００３２】
（３）  さらに、前記伝達用回転体と前記押圧具とをそれらに共通のフレームによって変位可能に支持する１個の支持ユニットを含む（１）または（２）項に記載の遊技機。
【００３３】
この遊技機によれば、伝達用回転体と押圧具とを別々のフレームによって変位可能に支持する場合に比較し、フレームを含む部品点数の削減が容易となるとともに、それら伝達用回転体と押圧具とを支持する機構の全体構成の単純化および小形化も容易となる。
【００３４】
（４）  前記案内装置が、互いに共同して前記表示用回転体を接触により案内する複数個の案内具を含む（１）ないし（３）項のいずれかに記載の遊技機。
【００３５】
この遊技機によれば、表示用回転体が回転中に描く軌跡が複数個の案内具の共同作用によって安定化させられる。
【００３６】
本項における「案内具」は、前述の「押圧具」と同様に、回転体として構成したり、非回転体として構成することが可能である。
【００３７】
本項における「複数個の案内具」は、例えば、表示用回転体と同軸な円周面に関する内側に一緒に配置したり、外側に一緒に配置したり、一部は内側に、残りは外側に配置することが可能である。
【００３８】
（５）  前記複数個の案内具が、前記表示用回転体と同軸な円筒面に沿ってその円筒面との接触状態で配置されており、かつ、それら複数個の案内具が、
位置が実質的に固定された固定案内具と、
前記表示用回転体の回転軸線に関して前記固定案内具とは実質的に反対側に位置する押圧用案内具であって、前記表示用回転体を前記固定案内具に押圧するものと
を含む（４）項に記載の遊技機。
【００３９】
この遊技機によれば、押圧用案内具により、表示用回転体が、それの回転軸線に関して押圧用案内具とは反対側に位置する固定案内具に押圧される。固定案内具は、それの位置が実質的に固定されているため、そのような固定案内具に表示用回転体が押し付けられる状態においては、その表示用回転体の半径方向誤差が発生しても、その表示用回転体のうち固定案内具に接触する部位が位置的に安定化させられる。
【００４０】
したがって、当該遊技機が、例えば、表示用回転体のうち固定案内具に接触する部位が遊技中に遊技者によって特に注視されるべき部位であるように設計される場合には、表示用回転体の半径方向誤差が発生しても、遊技者による注視点の位置が安定し、それにより、遊技中における遊技者の目の疲労が軽減される。
【００４１】
本項における「押圧用案内具」は、例えば、表示用回転体との接触面に対して交差する方向に変位可能な案内用回転体と、その案内用回転体を表示用回転体に向かって付勢する付勢手段とを含むように構成することが可能である。
【００４２】
ここに、「案内用回転体」は、表面がほぼ平滑であるローラとして構成したり、複数の歯を有するギヤとして構成することが可能である。
【００４３】
また、「付勢手段」は、案内用回転体に弾性力を作用する弾性部材として構成したり、案内用回転体に作用する重力を利用してその案内用回転体を表示用回転体に押し付ける手段として構成したり、案内用回転体に磁気力を作用させてその案内用回転体を表示用回転体に押し付ける手段として構成することが可能である。
【００４４】
また、本項における「押圧用案内具」は、表示用回転体との接触面に対して交差する方向に変位しない案内用回転体であって、それ自体の弾性によって表示用回転体を固定案内具に押し付けるものとして構成することも可能である。
【００４５】
（６）  前記表示用回転体の回転軸線が、当該遊技機の前面に対して概して直角な方向に延びており、前記表示面が、前記回転軸線に対して概して直角な平面内で回転させられる（１）ないし（５）項のいずれかに記載の遊技機。
【００４６】
この遊技機によれば、表示用回転体の表示面が当該遊技機の前面に対して概して平行な平面内において回転させられ、その結果、その表示面全体が一度に遊技者によって視認されるように当該遊技機を設計することが可能となる。
【００４７】
（７）  前記表示用回転体が、それと同軸に延びる円筒状のフランジを有しており、前記伝達用回転体が、その表示用回転体から偏心した位置において前記フランジに接触させられる（６）項に記載の遊技機。
【００４８】
前記（６）項に係る遊技機は、表示用回転体の回転軸線に対して交差する軸線まわりに伝達用回転体を表示用回転体との接触状態で回転させることにより、表示用回転体を回転させる態様で実施することが可能である。
【００４９】
これに対し、本項に係る遊技機においては、表示用回転体と同軸に延びる円筒状のフランジを利用することにより、表示用回転体の回転軸線に対して平行な軸線まわりに伝達用回転体がフランジとの接触状態で回転させられ、それにより、表示用回転体が回転させられる。
【００５０】
（８）  前記表示用回転体が、それの中央部に空間を有しており、当該遊技機が、さらに、遊技者が遊技球を用いて遊技を行うための遊技領域を前記表示用回転体の内側に備えている（６）または（７）項に記載の遊技機。
【００５１】
この遊技機によれば、表示用回転体の内側に遊技領域を配置することが可能となる。
【００５２】
（９）  さらに、前記表示用回転体の背後において前記遊技球が前記表示用回転体の外側から前記遊技領域内に進入することを可能にする通路を含む（６）ないし（８）項のいずれかに記載の遊技機。
【００５３】
前記（６）ないし（８）項のいずれかに係る遊技機においては、表示用回転体の内側に遊技領域が位置するため、遊技球が表示用回転体を通過して遊技領域内に進入することが必要である。
【００５４】
遊技球が表示用回転体を通過する経路として、その表示用回転体の前側を通過する経路と、後側を通過する経路とが存在するが、前側を通過する経路を使用する場合には、表示用回転体が一時的に遊技球によって隠れてしまい、これが遊技者にとって不快となる可能性がある。
【００５５】
これに対し、本項に係る遊技機においては、表示用回転体の背後において遊技球が表示用回転体の外側から遊技領域内に進入することを可能にする通路が設けられている。
【００５６】
したがって、この遊技機によれば、遊技球が表示用回転体を通過する際に表示用回転体が遊技球によって隠れずに済む。
【００５７】
（１０）  さらに、前記表示用回転体の裏面からの反射光であってその表示用回転体の回転方向位置に応じて変化するものを利用してその表示用回転体の、当該遊技機に対する回転方向位置を検出する位置センサを含む（６）ないし（９）項のいずれかに記載の遊技機。
【００５８】
この遊技機においては、表示用回転体の裏面を利用してその表示用回転体の回転方向位置の検出（以下、単に「位置検出」という。）されるため、表示用回転体の前面を利用して位置検出を行う場合とは異なり、例えば、位置検出のために表示用回転体の前面が隠れずに済む。
【００５９】
さらに、この遊技機においては、反射光を利用して位置検出が行われるため、透過光を利用して位置検出が行われる場合に比較し、位置検出のための光路が短くて済むという理由やその取り回しが複雑にならずに済むという理由により、位置検出のための装置の構成を簡単化することが容易となる。
【００６０】
（１１）  遊技者が遊技球を用いて遊技を行うための遊技領域を前面に備えた遊技機であって、
中央部に空間を有して、前記前面に対して交差する回転軸線まわりに回転させられる回転面を前記前面に備えるとともに、その回転面の内側に前記遊技領域が配置された表示用回転体と、
前記回転面を第１の表示面として用いることにより、第１の情報を可変に表示する第１の可変表示部と、
その第１の可変表示部に表示された第１の情報に基づいて当該遊技機の遊技条件を制御する制御部と
を含む遊技機。
【００６１】
この遊技機によれば、遊技領域を囲む回転面として設けられた第１の表示面の作用により、当該遊技機の遊技条件が制御される。
【００６２】
したがって、この遊技機によれば、遊技領域を囲む回転面がその遊技領域より大きな軌跡を描いて物理的に回転させられるため、遊技中に遊技者が感じ得るスケール感や躍動感を向上させることが容易となる。
【００６３】
本項に係る遊技機は、以上説明した各項に記載の特徴と適宜組み合わせて実施することが可能である。
【００６４】
（１２）  さらに、
前記遊技領域に設けられた第２の表示面に第２の情報を可変に表示する第２の可変表示部を含み、かつ、
前記制御部が、前記第１および第２の可変表示部にそれぞれ表示された第１および第２の情報の組合せに基づいて当該遊技機の遊技条件を制御する（１１）項に記載の遊技機。
【００６５】
この遊技機によれば、遊技領域を囲む回転面として設けられた第１の表示面と、その遊技領域に設けられた第２の表示面との共同作用により、当該遊技機の遊技条件が制御される。
【００６６】
したがって、この遊技機によれば、それら第１および第２の表示面のいずれか一方のみを用いて当該遊技機の遊技条件を制御する場合に比較し、遊技条件を変化させる自由度を向上させることが容易となる。
【発明を実施するための最良の形態】
【００６７】
以下、本発明を実施するための最良の形態のうちのいくつかを図面に基づいて詳細に説明する。
【００６８】
図１には、本発明の第１実施形態に従うパチンコ機が斜視図で示されている。このパチンコ機は、本体枠１０と、ガラス扉１２と、前皿部扉１４と、発射装置１６とを備えている。すなわち、本実施形態においては、パチンコ機が本発明における「遊技機」の一例を構成しているのである。このパチンコ機はパチンコホールに設置されて使用される。
【００６９】
本体枠１０には、それの前側において遊技盤２０が作業者により着脱可能に装着される。遊技盤２０は、本体枠１０のうち遊技盤２０に対面する部分に対して平行な姿勢で本体枠１０に装着される。
【００７０】
遊技盤２０は、それの中央に遊技領域２２が設定されている。この遊技領域２２においては、図示しない複数本の釘が、遊技球としてのパチンコ球との衝突によってそれの進路に影響を及ぼすために立設されている。
【００７１】
その遊技領域２２の外周においては、概して円弧状を成すレール２４が、発射装置１６により発射されたパチンコ球を遊技領域２２に誘導するために設けられている。発射装置１６は、遊技者による操作ハンドル２６の操作に応じた強度（速度）でパチンコ球を遊技領域２２に向かって発射する。
【００７２】
パチンコ機は、さらに、発射装置１６により発射されたパチンコ球が遊技盤２０の入賞口に入るのに応じて賞品としてパチンコ球を払い出す図示しない払出し装置を備えている。
【００７３】
図１に示すように、ガラス扉１２と前皿部扉１４とは、本体枠１０の高さ方向において互いに隣接した状態でその本体枠１０の前面を覆うように設計されている。それらガラス扉１２と前皿部扉１４とは、共に、本体枠１０の高さ方向に延びる回動軸線まわりの回動によりその本体枠１０に対して開閉可能とされている。その回動軸線は、本実施形態においては、パチンコ機の一対の側辺のうち向かって左側に位置するものに一致するように設定されている。
【００７４】
ガラス扉１２は、それの閉状態において、本体枠１０に装着された遊技盤２０の遊技領域２２をそれの前側から透視可能に覆うように設計されている。
【００７５】
これに対し、前皿部扉１４は、払出し装置により払い出されたパチンコ球を貯留する貯留機能を発揮する前皿部２８を有するように設計されている。前皿部２８は、前皿部扉１４の前面から前方に張り出させられている。
【００７６】
本実施形態においては、ガラス扉１２と前皿部扉１４とのうちガラス扉１２のみが、それの閉状態において、本体枠１０に装着された遊技盤２０の前面を覆うように設計されている。
【００７７】
以下、図２ないし図５を参照することにより、遊技盤２０をさらに詳しく説明する。
【００７８】
図２に示すように、遊技盤２０には、遊技のために文字，図形等の図柄を表示する第１の可変表示部３０が設けられている。
【００７９】
遊技盤２０には、遊技領域２２を囲む位置において、中央部に空間を有する円板状のホイール３２が設置されている。このホイール３２は、第１の可変表示部３０の一構成要素である。遊技者は、ホイール３２内の空間を経て遊技領域２２を視認可能となっており、遊技者は、ホイール３２と遊技領域２２との双方を用いて遊技を行うことができる。
【００８０】
ホイール３２は、遊技盤２０に対して直角に交差する回転軸線を有しており、その回転軸線まわりに、遊技盤２０とガラス扉１２との間において回転させられる。すなわち、ホイール３２は、遊技盤２０に平行な面内において自転させられるのである。ホイール３２は剛体であり、その基本形状が外力によって容易には変化しないように設計されている。
【００８１】
図４には、ホイール３２のうちの上部が縦断面図で示されている。この図から明らかなように、ホイール３２は、遊技盤２０に対して平行な円板部３４と、それの内周から後方に延びるフランジ部３６とを含むように構成されている。具体的には、ホイール３２は硬質の合成樹脂を主な材料として構成されている。
【００８２】
図４に示すように、円板部３４には、それの外周側において開口する切欠き３８が複数個、周方向に並んで形成されている。円板部３４のうちその切欠き３８が形成されていない部分には、補強のためのリブ４０が形成されている。
【００８３】
そのように構成された円板部３４の前面には、それと同軸な一円周に沿って一定の幅を有して平面的に延びるフィルム４２が装着されている。このフィルム４２は、光が透過する素材により、円板部３４より薄い厚さと広い幅とを有するように形成されている。このフィルム４２の前面は、上述の図柄を表示する表示面４４であり、本実施形態においては、図２および図３に示すように、それの周方向に沿って英語のアルファベット２６文字が等間隔でフィルム４２に印刷されている。
【００８４】
以上要するに、本実施形態においては、円板部３４に切欠き３８とリブ４０とが設けられるとともに、その円板部３４の幅がフィルム４２より狭いものとされることにより、ホイール３２の高剛性化と軽量化とを図りつつ、表示面４４の広さを確保しているのである。
【００８５】
図５に二点鎖線の枠で示すように、本実施形態においては、ホイール３２に関連し、時計の文字盤上において１２時に当たる位置に表示領域４６が設定されている。この表示領域４６の位置は、遊技盤２０に固定されており、よって、ホイール３２の回転につれてホイール３２と表示領域４６との相対位置関係が変化する。
【００８６】
ホイール３２は、それの回転中に停止要求が出されると、そのホイール３２における複数個の図柄４８のうちの１個が表示領域４６内に位置するように、停止させられる。その停止状態においてその表示領域４６内において表示される図柄が、今回選択された図柄であり、ホイール３２の停止角度が異なれば、その表示領域４６内に表示される図柄も異なる。
【００８７】
図３および図４に示すように、フィルム４２の背後に光源としてのＬＥＤ５０が複数個、フィルム４２の周方向に並んで配置されている。それらＬＥＤ５０によってフィルム４２が発光させられ、それにより、そのフィルム４２上の図柄が遊技者に対して鮮明に表示される。
【００８８】
したがって、本実施形態においては、それらホイール３２と表示領域４６とが互いに共同して前述の第１の可変表示部３０を構成し、さらに、ホイール３２が前記（１）項における「表示用回転体」の一例を構成しているのである。
【００８９】
図２に示すように、遊技領域２２の内側にも、遊技のための文字，図形等の図柄を表示するための第２の可変表示部５４が設けられている。この第２の可変表示部５４の一例は、液晶ディスプレイである。この第２の可変表示部５４の表示面５６には、図柄が可変に表示される。
【００９０】
したがって、本実施形態においては、遊技者は、遊技領域２２の外側に位置する第１の可変表示部３０に表示される図柄と、遊技領域２２の内側に位置する第２の可変表示部５４に表示される図柄とを同時に視認しつ遊技を行うことができるのである。
【００９１】
図３に示すように、ホイール３２はモータ５８によって回転させられる。モータ５８は、ホイール３２に対して偏心した位置に配置されている。モータ５８の回転シャフト６０（図８参照）に剛体のロータ６２が同軸に固定され、そのロータ６２にゴム製のリング６４が装着されている。それらロータ６２とリング６４とによって駆動ローラ６６が構成されている。駆動ローラ６６は、ホイール３２のフランジ部３６の内周面７０に接触させられ、この接触により、駆動ローラ６６の回転力がホイール３２に伝達される。すなわち、モータ５８はフランジ部３６を利用することにより、それの回転力をホイール３２に伝達してホイール３２を回転させるようになっているのである。
【００９２】
以上要するに、本実施形態においては、駆動ローラ６６が前記（１）項における「伝達用回転体」の一例を構成しているのである。
【００９３】
図２および図４に示すように、ホイール３２および駆動ローラ６６は、後に詳述する案内ローラ７２ａ，７２ｂ，７２ｃ，７２ｄ，７２ｅ，７２ｆと共に、ハウジング７４内に収容されている。そのハウジング７４は、図４に示すように、遊技盤２０とガラス扉１２との間に位置する状態で遊技盤２０の前面７５に装着されている。このハウジング７４のうち、ホイール３２の前面と対面する部分には、一定の幅を有して一円周に沿って平面的に延びる窓７６が形成されており、この窓７６を通してホイール３２の表示面４４が遊技者によって視認される。図２に示すように、駆動ローラ６６および案内ローラ７２ａ，７２ｂ，７２ｃ，７２ｄ，７２ｅ，７２ｆは、ホイール３２の内側に存在するにもかかわらず、ハウジング７４に覆われて遊技者から見えないようになっている。
【００９４】
図２に示すように、本実施形態においては、前述のように、遊技盤２０上にホイール３２が遊技領域２２を囲むように配置されている。一方、パチンコ球は、発射装置１６による発射後、ホイール３２の外側領域７８から遊技領域２２内に進入させられる。そのため、このパチンコ機においては、発射装置１６によって発射されたパチンコ球をホイール３２の外側領域７８からそのホイール３２を通過して遊技領域２２内に誘導する通路が必要である。
【００９５】
図２および図４には、その通路８０が正面図および側面断面図でそれぞれ示されている。それら図から明らかなように、本実施形態においては、その通路８０が、発射装置１６によって発射されたパチンコ球をホイール３２の外側領域７８からそのホイール３２の背後を通過して遊技領域２２内に誘導するために設けられている。
【００９６】
図４に示すように、通路８０のうち、ホイール３２のちょうど背後に当たる部分は、遊技盤２０を厚さ方向に貫通する経路形成穴８２を利用して形成されている。その経路形成穴８２のうち遊技盤２０の背面側の開口は、図示しないが、後述の主制御基盤が遊技盤２０の背面に装着されることにより、閉塞されている。
【００９７】
ここで、図２および図４を参照することにより、このパチンコ機内におけるパチンコ球の流れを説明する。
【００９８】
パチンコ球は、発射装置１６から発射されると、まず、ホイール３２の外側において、遊技盤２０の上部に立設された釘８４に衝突し、それにより、パチンコ球の進路が変えられる。その後、パチンコ球は落下し、やがて、図４に示すように、ハウジング７４のうちの、上向きの傾斜面８６に衝突し、そこで進路が変えられて通路８０内に進入する。さらに、パチンコ球は、その通路８０内を落下し、経路形成穴８２のうちの、上向きの傾斜面９０に衝突し、そこで進路が変えられて遊技領域２２内に進入する。
【００９９】
このように、パチンコ球は、ホイール３２の外側においては遊技盤２０の前面７５上に位置し、ホイール３２を通過する際には遊技盤２０の経路形成穴内８２に位置し、その通過後には、遊技盤２０の前面７５上に戻る経路を辿るようになっている。
【０１００】
したがって、本実施形態によれば、パチンコ球がホイール３２の前方を通過することがなく、一時的にもホイール３２の表示面４４がパチンコ球によって隠れてしまうことを防ぐことができる。
【０１０１】
本実施形態においては、ホイール３２とＬＥＤ５０とを収容するハウジング７４が、パチンコ球とホイール３２およびＬＥＤ５０との衝突を防止することにより、パチンコ球によってホイール３２の回転が妨げられたり、ＬＥＤ５０が損傷する事態を回避する機能を備えている。さらに、パチンコ球がハウジング７４に衝突した時にそのパチンコ球を通路８０に誘導する機能も備えている。
【０１０２】
図５に示すように、ホイール３２の内側には、ホイール３２をほぼ同じ回転軸線まわりに回転するように案内する案内ローラ７２ａ，７２ｂ，７２ｃ，７２ｄ，７２ｅ，７２ｆが複数個設置されている。各案内ローラ７２ａ，７２ｂ，７２ｃ，７２ｄ，７２ｅ，７２ｆは、ホイール３２の回転軸線に平行な各回転軸線まわりに、フランジ部３６の内周面７０との接触により、ホイール３２と共に自転させられる。
【０１０３】
すなわち、本実施形態においては、それら複数個の案内ローラ７２ａ，７２ｂ，７２ｃ，７２ｄ，７２ｅ，７２ｆが前記（１）項における「案内装置」の一例を構成し、各案内ローラ７２ａ，７２ｂ，７２ｃ，７２ｄ，７２ｅ，７２ｆが前記（４）項における「案内具」の一例を構成しているのである。
【０１０４】
図５に示すように、それら複数個の案内ローラ７２ａ，７２ｂ，７２ｃ，７２ｄ，７２ｅ，７２ｆは、ホイール３２に沿って分散して配置されている。それら複数個の案内ローラ７２ａ，７２ｂ，７２ｃ，７２ｄ，７２ｅ，７２ｆのうちの２個は、上側案内ローラ７２ａ，７２ｆとして、ホイール３２の上部に近接して配置され、別の２個は、下側案内ローラ７２ｃ，７２ｄとして、ホイール３２の下部に近接して配置されている。
【０１０５】
２個の上側案内ローラ７２ａ，７２ｆは、具体的には、互いに共同して表示領域４６を挟む２箇所にそれぞれ配置されている。これに対し、２個の下側案内ローラ７２ｃ，７２ｄは、ホイール３２の回転軸線に関して２個の上側案内ローラ７２ａ，７２ｆとは概して反対側に配置されている。
【０１０６】
したがって、本実施形態によれば、ホイール３２の製造ばらつき等に起因してそれの半径方向に寸法誤差が発生しても、ホイール３２が回転中に描く軌跡が少なくとも表示領域４６においては安定化させることが容易となる。
【０１０７】
図６には、１個の下側案内ローラ７２ｃが代表的に示されている。この下側案内ローラ７２ｃの構成は、他の案内ローラ７２ａ，７２ｂ，７２ｄ，７２ｅ，７２ｆと共通している。
【０１０８】
図６に示すように、案内ローラ７２ｃと接触するフランジ部３６は、内周面７０にレール部１００を有している。案内ローラ７２ｃは、そのレール部１００が嵌入する溝１０２を有するプーリとして形成されている。案内ローラ７２ｃがそれの溝１０２においてレール部１００に係合することにより、ホイール３２の回転中にそれの位置が回転軸線の方向に変位することが抑制されている。
【０１０９】
次に、ホイール３２の回転機構を詳しく説明する。
【０１１０】
図５に示すように、遊技盤２０においては、駆動ローラ６６がフランジ部３６に接触する状態で設置されるとともに、その駆動ローラ６６と共同してフランジ部３６を厚さ方向に挟む押圧ローラ１０４が設置されている。この押圧ローラ１０４は、フランジ部３６を駆動ローラ６６に押し付けるために設置されている。
【０１１１】
すなわち、本実施形態においては、押圧ローラ１０４が前記（１）項における「押圧具」の一例を構成しているのである。
【０１１２】
図７および図８に示すように、押圧ローラ１０４，モータ５８および駆動ローラ６６は共通のフレーム１０６によって支持されており、それにより、支持ユニット１１０が構成されている。遊技盤２０には、この支持ユニット１１０を収容するための収容穴１１２が、遊技盤２０を厚さ方向に貫通する貫通穴として形成されている。
【０１１３】
遊技盤２０には、そこから収容穴１１２に向かって延び出る延出部材１１４が片持ち状に取り付けられている。その延出部材１１４の自由端部１１６に支持ユニット１１０が、それが収容穴１１２内に収容される状態で取り付けられている。本実施形態においては、支持ユニット１１０を収容穴１１２への収容状態で遊技盤２０に取り付ける手法を採用することにより、ガラス扉１２と遊技盤２０との間の限られた空間の中に支持ユニット１１０をコンパクトに収容することが可能となっている。
【０１１４】
フレーム１０６には、遊技盤２０に対して直角に延びる第１揺動軸線を有する第１揺動シャフト１１８が設置されている。この第１揺動シャフト１１８は、フレーム１０６に固定されたボス部材１２０によって支持されている。フレーム１０６はこの第１揺動シャフト１１８を介して延出部材１１４に揺動可能に連結されており、それにより、駆動ローラ６６を含む支持ユニット１１０全体が第１揺動シャフト１１８まわりに揺動可能となっている。
【０１１５】
フレーム１０６には、第１揺動シャフト１１８から平行に隔たった位置に、第２揺動軸線を有する第２揺動シャフト１２２が設置されている。この第２揺動シャフト１２２まわりに押圧ローラ１０４が揺動させられる。
【０１１６】
具体的には、第２揺動シャフト１２２には押圧ローラ１０４がアーム１２４によって連結されている。アーム１２４の基端部１２６と自由端部１３０とにはそれぞれスリーブ１３２，１３４が形成されており、基端側のスリーブ１３２には第２揺動シャフト１２２、自由端部側のスリーブ１３４には、押圧ローラ１０４に回転可能に挿通されたローラシャフト１３６がそれぞれ挿通されている。
【０１１７】
押圧ローラ１０４は、付勢手段としてのばね部材１３８により、常時フランジ部３６を駆動ローラ６６に押圧する向きに付勢されている。本実施形態においては、そのばね部材１３８が、ねじりコイルばねとして構成されている。具体的には、ばね部材１３８は、コイル部１４０とそれから外向きに延び出る両端末１４２，１４４とを含むように構成されている。コイル部１４０は、スリーブ１３２に挿通され、一方の端末１４２は、固定部材としてのボス部材１２０に係合させられ、他方の端末１４４は、スリーブ１３４に係合させられている。
【０１１８】
以上の説明から明らかなように、本実施形態においては、駆動ローラ６６および押圧ローラ１０４が共に、それらに共通の第１揺動軸線まわりに揺動可能とされ、それにより、駆動ローラ６６および押圧ローラ１０４が共に、揺動時に円弧状の軌跡を描くようになっている。さらに、押圧ローラ１０４は、第２揺動軸線まわりにも揺動可能とされている。したがって、押圧ローラ１０４は、第１揺動軸線まわりの揺動と第２揺動軸線まわりの揺動との双方を同時にまたは選択的に行い得る。
【０１１９】
図５に示すように、本実施形態においては、支持ユニット１１０に作用する重力を利用して駆動ローラ６６をフランジ部３６に押し付ける手法が採用されている。具体的には、支持ユニット１１０に作用する重力により、第１揺動軸線まわりに、駆動ローラ６６をフランジ部３６に押し付ける向きのモーメントが発生するように、支持ユニット１１０が遊技盤２０に位置決めされている。
【０１２０】
さらに具体的には、駆動ローラ６６がフランジ部３６のうちの下部に接触する状態において、支持ユニット１１０の重心を通過する鉛直線と、第１揺動軸線を通過する鉛直線とが互いに一致しないレイアウトを有するように支持ユニット１１０が遊技盤２０に取り付けられている。
【０１２１】
したがって、本実施形態においては、駆動ローラ６６を積極的にフランジ部３６に押し付けるための部品を使用することが不可欠ではなくなる。ただし、このことは、そのような部品を使用して本発明を実施することを排除することを意味しない。
【０１２２】
以上の説明から明らかなように、本実施形態においては、ホイール３２の半径方向位置の変動に追従して支持ユニット１１０が揺動するため、駆動ローラ６６および押圧ローラ１０４のそれぞれとホイール３２との間に隙間が発生せずに済む。さらに、押圧ローラ１０４が、駆動ローラ６６から独立して揺動可能でもあるため、このことによっても、駆動ローラ６６および押圧ローラ１０４のそれぞれとホイール３２との間に隙間が発生せずに済む。
【０１２３】
その結果、本実施形態によれば、ホイール３２と駆動ローラ６６との間における運動伝達が正常に維持されて、ホイール３２の回転を常に正規化することが容易となる。
【０１２４】
以上、このパチンコ機のうち機械的な部分を主に説明したが、次に、電気的な部分を説明する。
【０１２５】
図９には、このパチンコ機のうちの電気的な部分がブロック図で概念的に表されている。このパチンコ機は、主制御基盤１５０と副制御基盤１５２とを備えている。それら主制御基盤１５０および副制御基盤１５２は共に、図示しないが、遊技盤２０の背面に装着されている。
【０１２６】
主制御基盤１５０は、第２の可変表示部５４に関する処理を実行し、これに対し、副制御基盤１５２は、第１の可変表示部３０に関する処理を実行する。主制御基盤１５０は、さらに、副制御基盤１５２から、第１の可変表示部３０によって選択された図柄に関する情報を取り込み、それと、第２の可変表示部５４によって選択された図柄に関する情報との組合せに基づき、このパチンコ機の遊技条件を制御する。そのため、主制御基盤１５０が副制御基盤１５２に電気的に接続されている。
【０１２７】
すなわち、本実施形態においては、第１の可変表示部３０によって選択された図柄に関する情報が前記（１１）項における「第１の情報」の一例を構成し、第２の可変表示部５４によって選択された図柄に関する情報が前記（１２）項における「第２の情報」の一例を構成し、主制御基盤１５０と副制御基盤１５２とが互いに共同して前記（１１）または（１２）項における「制御部」の一例を構成しているのである。
【０１２８】
図１０には、副制御基盤１５２のハードウエア構成がブロック図で概念的に表されている。副制御基盤１５２は、ＣＰＵ１５４とＲＯＭ１５６とＲＡＭ１５８とを有するコンピュータ１６０を主体として構成されている。この構成は、主制御基盤１５０の構成と基本的に共通する。ＲＯＭ１５６には、後述のホイール回転制御プログラムおよびホイール位置検出プログラムを始めとする各種プログラムが予め記億されており、それらプログラムがＣＰＵ１５４によってＲＡＭ１５８を利用しつつ実行されることにより、所定の処理が実行される。
【０１２９】
図９に示すように、この副制御基盤１５２は、前述のモータ５８に電気的に接続されており、さらに、前述の複数個のＬＥＤ５０が搭載されたＬＥＤ基盤１６２にも電気的に接続されている。すなわち、この副制御基盤１５２は、ＬＥＤ５０の点灯状態の制御も行うように設計されているのである。
【０１３０】
図９に示すように、副制御基盤１５２は、さらに、第１センサ１６４と第２センサ１６６とに電気的に接続されている。それら第１センサ１６４および第２センサ１６６は、ホイール３２が停止させられた回転位置を検出し、それにより、選択された図柄に関する情報を特定するために設けられている。
【０１３１】
図１１に示すように、第１センサ１６４および第２センサ１６６は、フィルム４２のうち表示領域４６内に位置する部分の背面１７０に対向する状態で、ハウジング７４内に収容されている。第１センサ１６４は、ホイール３２の半径方向において外側に配置される一方、第２センサ１６６は内側に配置されている。それら第１センサ１６４および第２センサ１６６は、センサ基盤１７２に搭載されている。それら第１センサ１６４および第２センサ１６６はいずれも、フィルム４２の背面１７０に向かって光を放出する発光素子１７４，１７６と、その発光素子１７４，１７６から放出された光のうちフィルム４２の背面で反射されたものを受光する受光素子１７８，１８０とを含むように構成されている。
【０１３２】
図１２に示すように、フィルム４２の背面１７０には、各センサ１６４，１６６によって検出されるべきマーク１８２，１８４が印刷されている。フィルム４２のうち、第１センサ１６４に対向する外周部には、マーク１８２が複数個、等間隔で並んで配置されている。各マーク１８２の位置は、フィルム４２の前面に印刷された各図柄の位置と一致させられている。したがって、互いに隣接した２個のマーク１８２の間隔が、ホイール３２の１回転ピッチに相当する。
【０１３３】
これに対し、フィルム４２のうち、第２センサ１６６に対向する内周部には、ホイール３２の原点位置として定義された位置において１個のマーク１８４が印刷されている。複数個のマーク１８２のうちのいずれか１個の位置が予め原点位置として定義されている。よって、そのマーク１８４を検出した時期から、同じマーク１８４を再び検出する時期までの期間が、ホイール３２の１回転に相当する。
【０１３４】
したがって、本実施形態においては、第１センサ１６４が、ホイール３２の、任意の回転位置からの回転ピッチ数を検出する機能を果たす一方、第２センサ１６６が、ホイール３２の原点位置を検出する機能を果し、両者の共同作用により、ホイール３２の、原点位置からの回転ピッチ数すなわち位相が検出される。
【０１３５】
すなわち、本実施形態においては、第１センサ１６４および第２センサ１６６がそれぞれ前記（１０)項における「位置センサ」の一例を構成しているのである。
【０１３６】
図１３には、前述のホイール回転制御プログラムの内容が概念的にフローチャートで表されている。
【０１３７】
このホイール回転制御プログラムはコンピュータ１６０によって繰返し実行される。各回の実行時には、まず、ステップＳ１（以下、単に「Ｓ１」で表す。他のステップについても同じとする。）において、ホイール３２を回転させる回転指令が主制御基盤１５０から出されたか否かが判定される。今回は、出されたと仮定すれば、判定がＹＥＳとなり、Ｓ２において、ホイール３２を回転させるべきホイール速度が決定される。続いて、Ｓ３において、その決定されたホイール速度を実現するための駆動信号がモータ５８に供給され、これにより、モータ５８が回転させられてホイール３２も回転させられる。
【０１３８】
本実施形態においては、図３に矢印で示すように、ホイール３２の回転につれて表示領域４６（図５参照）内に表示されるアルファベットが「Ａ」が「Ｚ」に向かって順に表示される向きにホイール３２が一方向に回転させられる。
【０１３９】
ただし、ホイール３２が逆方向に回転させられたり、ホイール３２の回転方向が交互に変化する期間を有する態様で本発明を実施することが可能である。例えば、ホイール３２が任意の位置で停止させられる間際において、ホイール３２が、それの回転方向が正方向と逆方向とに交互に変化させられるように振動させられるとともに、その振動の振幅（ホイール３２の各方向における回転量）が次第に減衰し、やがて停止する態様で本発明を実施することが可能である。
【０１４０】
以上で、このホイール回転制御プログラムの一回の実行が終了する。
【０１４１】
これに対して、今回は、主制御基盤１５０から回転指令が出されていないと仮定すれば、Ｓ１の判定がＮＯとなり、Ｓ４において、モータ５８が停止させられてホイール３２も停止させられる。
【０１４２】
以上で、このホイール回転制御プログラムの一回の実行が終了する。
【０１４３】
図１４には、前述のホイール位置検出プログラムの内容がフローチャートで概念的に表されている。
【０１４４】
このホイール位置検出プログラムもコンピュータ１６０によって繰返し実行される。各回の実行時には、まず、Ｓ１０１において、第１センサ１６４の出力信号が、マーク１８２を検出しないことを表すマーク非検出信号から、マーク１８２を検出していることを表すマーク検出信号に変化したか否かが判定される。すなわち、第１センサ１６４があるマーク１８２を検出した直後であるか否かが判定されるのである。
【０１４５】
今回は、第１センサ１６４があるマーク１８２（ある図柄の位置を表すマーク）を検出した直後ではないと仮定すれば、Ｓ１０１の判定がＮＯとなり、直ちにこのホイール位置検出プログラムの一回の実行が終了する。これに対し、今回は、第１センサ１６４があるマーク１８２を検出した直後であると仮定すれば、Ｓ１０１の判定がＹＥＳとなり、Ｓ１０２に移行する。
【０１４６】
このＳ１０２においては、第２センサ１６６の出力信号が、マーク１８４を検出しないことを表すマーク非検出信号からマーク１８６を検出していることを表すマーク検出信号に変化したか否かが判定される。すなわち、第２センサ１６６がマーク１８４（原点位置を表すマーク）を検出した直後であるか否かが判定されるのである。
【０１４７】
今回は、第２センサ１６６がそのマーク１８４を検出した直後ではないと仮定すれば、Ｓ１０２の判定がＮＯとなり、Ｓ１０７において、特定のフラグがセット状態にあるか否かが判定される。
【０１４８】
このホイール位置検出プログラムは、コンピュータ１６０の電源が投入されるごとに実行され、各回の実行においては、その電源投入時から、ホイール３２が最初に原点位置に達する時までの初期において初期設定が行われる。
【０１４９】
この初期設定においては、ホイール３２が最初に原点位置に達するのが待たれるとともに、原点位置に達するまでは、ホイール３２の原点位置からの回転ピッチ数を表すカウンタ値が無効にされ、一方、原点位置に達したならば、そのカウンタ値がリセットされるとともに、以後、ホイール３２の回転につれてカウンタ値がインクリメントされる。
【０１５０】
ただし、このホイール位置検出プログラムの同じ回の実行において、ホイール３２が再び原点位置に達すると、カウンタ値が再び０にリセットされる。すなわち、カウンタ値は、ホイール３２上の複数の図柄のうち表示領域４６内に表示されているものを、ホイール３２の総回転数とは無関係に表すようになっているのである。
【０１５１】
そして、このホイール位置検出プログラムにおいては、ホイール３２が最初に原点位置に達して初期設定が終了したか否かを記憶させるために上述のフラグが用いられる。このフラグは、リセット状態では、ホイール３２が最初に原点位置に達したとの判定が行われてはいないことを表し、セット状態では、その判定が行われたことを表すフラグとして設定されている。このフラグは、コンピュータ１６０の電源投入に伴ってリセット状態に設定される。
【０１５２】
今回は、コンピュータ１６０の電源投入直後であると仮定すれば、そのフラグはセット状態にはないから、Ｓ１０７の判定がＮＯとなり、直ちにこのホイール位置検出プログラムの一回の実行が終了する。
【０１５３】
その後、このホイール位置検出プログラムが何回か実行された結果、第１センサ１６４によってあるマーク１８２が検出された直後であるとともに、第２センサ１６６によってマーク１８４が検出された直後になれば、Ｓ１０１の判定もＳ１０２の判定もＹＥＳとなり、Ｓ１０３において、ホイール３２が現在、原点位置にあると判定される。
【０１５４】
続いて、Ｓ１０４において、上述のフラグがセットされる。その後、Ｓ１０５において、上述の、ホイール３２の回転ピッチ数を表すカウンタがリセットされる。続いて、Ｓ１０６において、そのカウンタ値が主制御基盤１５０に出力される。これにより、主制御基盤１５０は、ホイール３２上の複数の図柄のうち表示領域４６内に現在表示されているもの、すなわち、ホイール３２の現在の回転位置を把握することが可能となる。
【０１５５】
以上で、このホイール位置検出プログラムの一回の実行が終了する。
【０１５６】
その後、このホイール位置検出プログラムが何回か実行された結果、第１センサ１６４が次のマーク１８２を検出した直後になれば、Ｓ１０１の判定がＹＥＳとなる。このとき、第２センサ１６６が原点位置用のマーク１８４を検出していないはずであるから、Ｓ１０２の判定がＮＯとなる。
【０１５７】
今回は、フラグがセット状態にあるため、Ｓ１０７の判定がＹＥＳとなり、Ｓ１０８において、カウンタ値が１だけインクリメントされる。その後、Ｓ１０６において、そのカウンタ値が主制御基盤１５０に出力される。主制御基盤１５０は、そのカウンタ値から、ホイール３２が現在、原点位置の次の回転位置にあることを把握することができる。
【０１５８】
以上で、このホイール位置検出プログラムの一回の実行が終了する。
【０１５９】
その後、第２センサ１６６が原点位置用のマーク１８４を検出するまでの間においては、第１センサ１６４によって次のマーク１８２が検出されるごとに、Ｓ１０８において、カウンタ値が１ずつインクリメントされる。
【０１６０】
したがって、本実施形態においては、ホイール３２が停止させられると、その停止位置が検出され、それに応じて、表示領域４６内に存在する図柄が特定されることとなる。
【０１６１】
次に、本発明の第２実施形態を説明する。ただし、本実施形態は、第１実施形態と共通する要素が多く、異なる要素は下側案内ローラ７２ｃ，７２ｄのみであるため、異なる要素についてのみ詳細に説明し、共通する要素については、同一の符号または名称を使用して引用することにより、詳細な説明を省略する。
【０１６２】
第１実施形態においては、２個の下側案内ローラ７２ｃ，７２ｄが、図６に示すように、各回転軸線の位置が変化しないように遊技盤２０に取り付けられている。
【０１６３】
これに対し、本実施形態においては、図１５に示すように、２個の下側案内ローラ２１０ａ，２１０ｂの各回転軸線の位置が、フランジ部３６の内周面７０に対して直角に交差する方向に変位可能となっている。
【０１６４】
具体的には、本実施形態においては、下側案内ローラ２１０ａ，２１０ｂの回転シャフト２１２が可動部材２１４によって支持され、その可動部材２１４が、遊技盤２０に固定された支持部材２１６によってスライド可能に支持されている。
【０１６５】
さらに、下側案内ローラ２１０ａ，２１０ｂは、付勢手段としてのばね部材２１８により、下側案内ローラ２１０ａ，２１０ｂ自体をホイール３２に押し付ける向き、すなわち、ホイール３２を上側案内ローラ７２ａ，７２ｆに押し付ける向きに常時付勢されている。そのばね部材２１８は、本実施形態においては、可動部材２１４と支持部材２１６との間に配置された圧縮コイルスプリングとして構成されている。
【０１６６】
したがって、本実施形態においては、それら２個の下側案内ローラ２１０ａ，２１０ｂが可動案内ローラとして機能し、一方、２個の上側案内ローラ７２ａ，７２ｆは依然として固定案内ローラとして機能する。よって、ホイール３２の半径方向における歪みが存在しても、ホイール３２の各部位が表示領域４６を同じ軌跡を辿って通過することが確実化される。
【０１６７】
以上、本発明の実施の形態のいくつかを図面に基づいて詳細に説明したが、これらは例示であり、前記［課題を解決するための手段］の欄に記載の態様を始めとして、当業者の知識に基づいて種々の変形、改良を施した他の形態で本発明を実施することが可能である。
【図面の簡単な説明】
【０１６８】
【図１】本発明の第１実施形態に従うパチンコ機を示す分解斜視図である。
【図２】図１における遊技盤２０を取り出して拡大して示す正面図である。
【図３】図２におけるホイール３２を取り出して拡大して示す斜視図である。
【図４】図１における通路８０を説明するための断面図である。
【図５】図１における遊技盤２０上におけるホイール３２，駆動ローラ６６，モータ５８，押圧ローラ１０４および複数個の案内ローラ７２ａ，７２ｂ，７２ｃ，７２ｄ，７２ｅ，７２ｆのレイアウトを説明するための正面図である。
【図６】図５における１個の案内ローラ７２ｃを示す断面図である。
【図７】図５における支持ユニット１１０を取り出して示す正面図である。
【図８】図７の支持ユニット１１０を説明するための断面図である。
【図９】図１のパチンコ機のうちの電気的な部分を概念的に表すブロック図である。
【図１０】図９における副制御基盤１５２のハードウエア構成を概念的に表すブロック図である。
【図１１】図９における第１センサ１６４および第２センサ１６６を説明するための断面図である。
【図１２】図９における第１センサ１６４および第２センサ１６６によって検出されるマーク１８２，１８４を説明するための正面図である。
【図１３】図１０の副制御基盤１５２のコンピュータ１６０により実行されるホイール回転制御プログラムの内容を概念的に表すフローチャートである。
【図１４】図１０の副制御基盤１５２のコンピュータ１６０により実行されるホイール位置検出プログラムの内容を概念的に表すフローチャートである。
【図１５】本発明の第２実施形態に従うパチンコ機の下側案内ローラ２１０ａ，２１０ｂを説明するための正面図である。
【符号の説明】
【０１６９】
２２  遊技領域
３０  第１の可変表示部
３２  ホイール
３６  フランジ部
４４  表示面
５４  第２の可変表示部
５８  モータ
６６  駆動ローラ
７２ａ，７２ｂ，７２ｃ，７２ｄ，７２ｅ，７２ｆ  案内ローラ
８０  通路
１０４  押圧ローラ
１０６  フレーム
１１０  支持ユニット
１１８  第１揺動シャフト
１２２  第２揺動シャフト
１５０  主制御基盤
１５２  副制御基盤
１６４  第１センサ
１６６  第２センサ
２１０ａ，２１０ｂ  下側案内ローラ
【図１】
2005046467.tif 000003
【図２】
2005046467.tif 000004
【図３】
2005046467.tif 000005
【図４】
2005046467.tif 000006
【図５】
2005046467.tif 000007
【図６】
2005046467.tif 000008
【図７】
2005046467.tif 000009
【図８】
2005046467.tif 000010
【図９】
2005046467.tif 000011
【図１０】
2005046467.tif 000012
【図１１】
2005046467.tif 000013
【図１２】
2005046467.tif 000014
【図１３】
2005046467.tif 000015
【図１４】
2005046467.tif 000016
【図１５】
2005046467.tif 000017